(57)【要約】本発明はパケットネットワークにおいてリソースをスケジューリングするための方法、ユーザ機器とシグナリングを交換するためのネットワーク要素及びユーザ機器を提供し、ユーザ機器はネットワーク要素によって割り当てられたリソースを用いてユーザ機器間で通信し、通信はデータパケットが送信される間のトークスプラウト期間及びサイレンス記述子パケットが送信される間のサイレント期間からなり、リソースをスケジューリングするための方法は、ネットワーク要素が通信のためにユーザ機器にリソースを割り当てるステップ、ユーザ機器及びネットワーク要素の両方がサイレンス記述子パケットの存在を検出するステップ、サイレンス記述子パケットが検出されるとユーザ機器が割当てリソースの使用を停止し、ネットワーク要素が割当てリソースを解放するステップ、ネットワーク要素がサイレンス記述子パケットを送信するためのインターバルの終りを特定するステップ、及びインターバルが終了したとき又はインターバルの終了前にリソースを割り当てるための要求がユーザ機器から受信されたときにネットワーク要素が新たなリソースをユーザ機器に割り当てるステップを備える。
2010537593.tif 000002
【特許請求の範囲】
【請求項１】
パケットネットワークにおいてリソースをスケジューリングするための方法において、ユーザ機器はネットワーク要素によって割り当てられたリソースを用いて該ユーザ機器間で通信し、該通信はデータパケットが送信される間のトークスプラウト期間及びサイレンス記述子パケットが送信される間のサイレント期間からなり、該方法が、
前記ネットワーク要素が通信のために前記ユーザ機器にリソースを割り当てるステップ、
前記ユーザ機器及び前記ネットワーク要素の両方が前記サイレンス記述子パケットの存在を検出するステップ、
前記サイレンス記述子パケットが検出されるとユーザ機器が前記割り当てられたリソースの使用を停止し、前記ネットワーク要素が該割り当てられたリソースを解放するステップ、
前記ネットワーク要素が前記サイレンス記述子パケットを送信するためのインターバルの終りを特定するステップ、及び
前記インターバルが終了したとき、又は前記インターバルの終了前にリソースを割り当てるための要求が前記ユーザ機器から受信されたとき、前記ネットワーク要素が新たなリソースを前記ユーザ機器に割り当てるステップ
を備える方法。
【請求項２】
請求項１の方法において、前記サイレント期間中に前記サイレンス記述子パケットが１６０ｍｓ毎に１回送信され、前記トークスプラウト期間中に前記データパケットが２０ｍｓ毎に１回送信される、方法。
【請求項３】
請求項１又は２の方法において、前記ネットワーク要素は計時によって前記インターバルの終りを特定する、方法。
【請求項４】
請求項１から３いずれか一項の方法において、前記計時の期間が１６０ｍｓである方法。
【請求項５】
請求項１から４いずれか一項の方法において、さらに、前記他のユーザ機器が前記ネットワーク要素にリソースの割当てを要求したときに、前記ネットワーク要素が前記解放されたリソースを他のユーザ機器に再割当てするステップを備える方法。
【請求項６】
ユーザ機器とシグナリングを交換するためのネットワーク要素において、該ユーザ機器は該ネットワーク要素によって割り当てられたリソースを用いて該ユーザ機器間で通信し、該通信はパケット交換に基づき、データパケットが送信される間のトークスプラウト期間及びサイレンス記述子パケットが送信される間のサイレント期間からなり、該ネットワーク要素が、
前記ユーザ機器が通信しているときに前記サイレンス記述子パケット又は前記データパケットの存在を検出するための検出手段、
前記サイレンス記述子パケットを送信するためのインターバルの終りを特定するために、前記サイレンス記述子パケットが検出されたときに計時を開始するよう構成されたタイマー、及び
前記サイレンス記述子パケットを検出したときには前記ネットワーク要素をトークスプラウト状態からサイレント状態に変化させ、又は前記データパケットを検出したときには前記ネットワーク要素をサイレント状態からトークスプラウト状態に変化させるための状態遷移制御手段
を備えたネットワーク要素。
【請求項７】
請求項６のネットワーク要素において、前記サイレント期間中に前記サイレンス記述子パケットが１６０ｍｓ毎に１回送信され、前記トークスプラウト期間中に前記データパケットが２０ｍｓ毎に１回送信される、ネットワーク要素。
【請求項８】
請求項６又は７のネットワーク要素において、前記ネットワーク要素が前記トークスプラウト状態から前記サイレント状態に変化したときには、前記ユーザ機器へのリソーススケジューリング許可を停止して前記タイマーが計時を開始し、前記ネットワーク要素が前記サイレント状態から前記トークスプラウト状態に変化したときには、前記ユーザ機器に新たなリソースを割り当てる、ネットワーク要素。
【請求項９】
請求項６から８いずれか一項のネットワーク要素において、前記計時の期間が１６０ｍｓである、ネットワーク要素。
【請求項１０】
ユーザ機器において、該ユーザ機器はネットワーク要素によって割り当てられたリソースを用いて他のユーザ機器と通信し、該通信はパケット交換に基づき、データパケットが送信される間のトークスプラウト期間及びサイレンス記述子パケットが送信される間のサイレント期間からなり、該ユーザ機器が、
前記ユーザ機器が通信しているときに前記サイレンス記述子パケット又は前記データパケットの存在を検出するための検出手段、及び
前記サイレンス記述子パケットを検出したときには前記ユーザ機器をトークスプラウト状態からサイレント状態に変化させ、又は前記データパケットを検出したときには前記ユーザ機器をサイレント状態からトークスプラウト状態に変化させるための状態遷移制御手段
を備えたユーザ機器。
【請求項１１】
請求項１０のユーザ機器において、前記サイレント期間中に前記サイレンス記述子パケットが１６０ｍｓ毎に１回送信され、前記トークスプラウト期間中に前記データパケットが２０ｍｓ毎に１回送信される、ユーザ機器。
【請求項１２】
請求項１０又は１１のユーザ機器において、前記ユーザ機器が前記トークスプラウト状態から前記サイレント状態に変化したときには、前記ネットワーク要素によって割り当てられたリソースの使用を停止し、前記ユーザ機器が前記サイレント状態から前記トークスプラウト状態に変化したときには、前記ネットワーク要素にリソースを割り当てるための要求を送信する、ユーザ機器。
【発明の詳細な説明】
【技術分野】
【０００１】
本発明は通信の分野に関し、より具体的にはパケットネットワークにおいてリソースをスケジューリングすることに関する。
【背景技術】
【０００２】
近年では、特に高いデータレート及び移動に対するサポートのために、例えばＩＥＥＥ８０２.１６ｅ等のブロードバンド無線アクセス技術が多くの注目を集め、既存の通信システムと競合している。そのため、ＵＭＴＳシステムを今後１０年又はそれ以上長く優れたものとして維持する目的を達成するために、３ＧＰＰは、進化したアクセス技術（Ｅ−ＵＴＲＡ、エボルブドＵＴＲＡ）及びアクセスネットワーク（Ｅ−ＵＴＲＡＮ）を用いるオペレータ及びユーザの増大する要求に対してより良いサポートを提供するように２００５年に３Ｇロングタームエボリューションのプロジェクトを開始した。
【０００３】
図１にバージョンＲ７ＬＴＥネットワークのアーキテクチャを示す。このようなネットワークでは、ＩＰ送信が低い層でのｅノードＢ（エボルブド・ユニバーサル地上無線アクセスネットワークノードＢ）間に適用され、ｅノードＢがＸ２インターフェイスを介して論理的に相互接続され、それによってメッシュ化ネットワークを形成する。そのようなネットワークアーキテクチャのプランは主にネットワーク全体の中のユーザ機器（ＵＥ）の移動をサポートするために使用され、ユーザのシームレスなハンドオーバーを保証する。各ｅノードＢは、ある形式のメッシュ化された接続又は部分的にメッシュ化された接続によってアクセスゲートウェイ（ＧＷ）に接続される。ｅノードＢは複数のＧＷに、及びその逆に、接続される。ＬＴＥネットワークは物理層においてＯＦＤＭ、ＭＩＭＯ、ＨＡＲＱ、ＡＭＣ等の技術を採用する。
【０００４】
このようなＬＴＥシステムでは、パケットドメインのみが存在し、音声トラフィックはＶｏＩＰを介して搬送される。音声トラフィックは現在の移動体通信システムにおける主なトラフィックであり、ＩＰを介して搬送される傾向に向かっている。ＶｏＩＰトラフィックは、小さいパケット、実質的に固定のパケット到着間隔及びパケットサイズといった所定の特性を有し、例えば、トークスプラウト期間中の２０ｍｓ毎の音声パケット及びサイレント期間中の１６０ｍｓ毎のＳＩＤパケット（サイレンス記述子）ついて周期的に生成される。
【０００５】
ダウンリンクでは、ＯＦＤＭは１００Ｍビット／秒のデータレート及びスペクトル効率の要件を満たすことができ、１.２５から２０ＭＨｚの柔軟な帯域幅構成を実施できる。ＬＴＥはＨＳＤＰＡ／ＨＳＵＰＡの概念に従い、即ち、リンク適合及び速い再送信によってのみゲインを取得できる。ＬＴＥのダウンリンク変調スキームはＱＰＳＫ、１６ＱＡＭ及び６４ＱＡＭ等を含む。
【０００６】
アップリンクでは、ＳＣ−ＦＤＭＡが採用され、即ち、基地局はＴＴＩ（送信時間間隔）毎にユーザのデータを送信するために単一の周波数をＵＥに割り当て、セル内のアップリンクキャリア間の直交性を保証して周波数間の干渉を回避するように異なるユーザのデータは周波数及び時間で分離される。
【０００７】
現在では、ダイナミックスケジューリング（ＤＳ）、パーシステントスケジューリング（ＰＳ）及びグループスケジューリング（ＧＳ）のようなＬＴＥネットワークについて幾つかのリソーススケジューリング方法がある。
【０００８】
ダイナミックスケジューリングとは、チャネル状態に基づいて動的にリソースをスケジューリングすることを意味する。ダウンリンクでは、ｅノードＢはバッファ内のデータ量、チャネル状態等に基づいてリソースを割当てる。アップリンクでは、アップリンクリソース要求メッセージがＵＥがアップリンクデータを送信するときにまず送信される。ｅノードＢはアップリンクリソース割当てメッセージに基づいて受信リクエストメッセージを割り当てる。そのようなスキームはより良いリソース利用率を有し、チャネル状態に基づいて適応的にＭＣＳ（変調符号化スキーム）の何らかのパラメータを調整できる。しかし、それは適応的な調整を達成するために、スケジューリング要求及びリソース割当て情報のためにより多くのビットを必要とし、従ってより多くのシグナリングオーバーヘッドをもたらす。
【０００９】
動的なスケジューリングがＶｏＩＰトラフィック、即ち、ＴＴＩ毎の要求及び許可シグナリングの小さいパケットに採用される場合、シグナリング負荷がより重くなる。オーバーヘッドは、ＬＴＥシステムにおける所定のＶｏＩＰユーザ量に到達するために軽減される必要がある。従って、２つの最適化されたスキーム、即ち、パーシステントスケジューリング及びグループスケジューリングが提案される。
【００１０】
完全にパーシステントなスケジューリングはＶｏＩＰへの回路交換割当てに類似し、即ち、一度だけ音声トラフィックに比較的固定されたリソースをスケジューリングする。このパーシステントスケジューリングはＬ１／Ｌ２制御シグナリングの軽減又は回避及び簡素さのために有利である。しかし、それは、特にサイレント期間中にＵＥに使用されないリソース及び使用されないＨＡＲＰ（ハイブリッド自動再送要求）の再送信リソースについて、全てのスケジューリング方法の中でリソース利用率は最低である。さらに、呼がセットアップされるときに構成される全パーシステント期間中に時間／周波数割当てが固定されるとともにＭＣＳ及びリソース選択が固定されるので、そのようなスケジューリング方法は柔軟性に欠ける。
【００１１】
グループスケジューリングとは、リソースブロックのセットからリソースをＵＥの１グループに割り当てるものである。リソースブロックの数はＵＥの数と平均アクティビティファクタの積に等しい。そのようなスケジュール方法の利点は、改善されたリソース利用率及び動的なスケジューリングよりもシグナリングオーバーヘッドが低いことである。しかし、この方法には以下の欠点がある。
（ｉ）特に平均アクティビティファクタが予測困難であるために、無線リソースを効率的に管理するのが困難であり、それによって、（リソースがない場合の）音声パケットに対する余計な遅延、及び（充分なリソースがある場合の）リソースの浪費をもたらすことになる。
（ii）柔軟性に欠ける。マルチレートコーデックがグループ内で効率的にサポートされず、グループ間のＵＥ切換え又はグループ再構成が大量のＲＲＣ（無線リソース制御）シグナリングによって複雑になる。最適なパフォーマンスはグループが満たされているときのみ達成され、従って初期ウォームアップ期間中のグループスケジューリングのパフォーマンスは低い。
（iii）通常のＬ１／Ｌ２制御チャネルとは異なる制御チャネル構造、例えば、ＴＴＩあたりのＢＩＴＭＡＰシグナリングを必要とする。
【００１２】
リソースの効率的な使用を行うために、リソース利用率を改善することとシグナリングオーバーヘッドを低減することの間のトレードオフを見つける必要がある。
【発明の概要】
【課題を解決するための手段】
【００１３】
従来技術における上記の問題を解決するため、本発明の側面によると、パケットネットワークにおいてリソースをスケジューリングするための方法が提供され、ユーザ機器はネットワーク要素によって割り当てられたリソースを用いてユーザ機器間で通信し、通信はデータパケットが送信される間のトークスプラウト期間及びサイレンス記述子パケットが送信される間のサイレント期間からなり、その方法は、ネットワーク要素が通信のためにユーザ機器にリソースを割り当てるステップ、ユーザ機器及びネットワーク要素の両方がサイレンス記述子パケットの存在を検出するステップ、サイレンス記述子パケットが検出されるとユーザ機器が割当てリソースの使用を停止し、ネットワーク要素が割当てリソースを解放するステップ、ネットワーク要素がサイレンス記述子パケットを送信するためのインターバルの終りを特定するステップ、及びインターバルが終了したとき又はインターバルの終了前にリソースを割り当てるための要求がユーザ機器から受信されたときにネットワーク要素が新たなリソースをユーザ機器に割り当てるステップを備える。
【００１４】
本発明の他の側面によると、ユーザ機器とシグナリングを交換するためのネットワーク要素が提供され、ユーザ機器はネットワーク要素によって割り当てられたリソースを用いてユーザ機器間で通信し、通信はパケット交換に基づき、データパケットが送信される間のトークスプラウト期間及びサイレンス記述子パケットが送信される間のサイレント期間からなり、ネットワーク要素は、ユーザ機器が通信しているときにサイレンス記述子パケット又はデータパケットの存在を検出するための検出手段、サイレンス記述子パケットを送信するためのインターバルの終りを特定するためにサイレンス記述子パケットが検出されたときに計時を開始するよう構成されたタイマー、及びサイレンス記述子パケットを検出したときにはネットワーク要素をトークスプラウト状態からサイレント状態に変化させ、又はデータパケットを検出したときにはネットワーク要素をサイレント状態からトークスプラウト状態に変化させるための状態遷移制御手段を備える。
【００１５】
本発明のさらに他の側面によると、ユーザ機器が提供され、ユーザ機器はネットワーク要素によって割り当てられたリソースを用いて他のユーザ機器と通信し、通信はパケット交換に基づき、データパケットが送信される間のトークスプラウト期間及びサイレンス記述子パケットが送信される間のサイレント期間からなり、ユーザ機器は、ユーザ機器が通信しているときにサイレンス記述子パケット又はデータパケットの存在を検出するための検出手段、及びサイレンス記述子パケットを検出したときにはユーザ機器をトークスプラウト状態からサイレント状態に変化させ、又はデータパケットを検出したときにはユーザ機器をサイレント状態からトークスプラウト状態に変化させるための状態遷移制御手段を備える。
【００１６】
本発明の上記及び他の多数の特徴及び有利な効果が、図面を参照して、以降の本発明の実施例の説明から明らかになる。
【図面の簡単な説明】
【００１７】
【図１】図１はＬＴＥネットワークのアーキテクチャを示す図である。
【図２】図２は本発明の実施例によるリソースのスケジューリング方法のフローチャートである。
【図３】図３は本発明の実施例によるリソースのスケジューリング方法をさらに説明する図である。
【図４】図４はＵＥがどのようにしてｅノードＢと状態において同期されるかを説明する図である。
【図５】図５は本発明の実施例によるネットワーク要素のブロック図である。
【図６】図６は本発明の実施例によるＵＥのブロック図である。
【発明を実施するための形態】
【００１８】
本発明は、ＬＴＥにおいてアップリンクＶｏＩＰに対するデュアル状態の準パーシステントスケジューリング方法を処理する。図２を参照して、本発明の実施例によるリソースのスケジューリング方法を説明する。この方法は図１に示すシステムに適用できる。上記システムの説明はここでは繰り返さない。
【００１９】
図２に示すように、まず、ステップ２０１において、ネットワーク要素は通信のためのリソースをＵＥに割り当てる。ここで、上記ネットワーク要素は例えば図１に示すｅノードＢとすることができる。本実施例では、リソースを割り当てるためにあらゆる既存及び将来の解決手段が採用でき、例えば、但し排他的ではなく、ｅノードＢは上述のパーシステントスケジューリング方法によってＵＥにリソースを割り当てることができる。
【００２０】
ステップ２０２において、ＵＥ及びｅノードＢ双方がＳＩＤパケット（サイレンス記述子パケット）が存在するかを検出し、それは例えばＵＥ及びｅノードＢに装備された検出手段によって実行できる。なお、ＶｏＩＰパケットのようなＳＩＤパケット及びデータパケットはＲＴＰ（リアルタイム・トランスポート・プロトコル）によってカプセル化されるので、ＲＴＰはＲＴＰのヘッダにおける対応のインジケータで識別を行いＳＩＤパケットとデータパケットを区別する。さらに、データパケットは少なくとも１００ビットより大きく（１２.２ｋｂｐｓに対して２５６ビット）、一方ＳＩＤパケットは比較的小さい（数１０ビット）ので、それらはパケットのサイズからも区別できる。従って、ＳＩＤパケットとデータパケットはＰＤＣＰパケットデータ搬送サブレイヤで識別することができる。
【００２１】
次に、ステップ２０３において、検出されたＳＩＤパケットについて、ＵＥは割り当てられたリソースを使用するのを停止し、ｅノードＢは上記リソースを解放し、これを他のＵＥに割り当てることができる。ステップ２０４において、ｅノードＢはＳＩＤパケットを送信するために、例えばｅノードＢに装備されたタイマーによってインターバルの終りを特定する。例えば、計時が終了するときにＳＩＤパケットを送信するためのインターバルの終りが検出されるように、１６０ｍｓの計時インターバルがタイマーに対して設定される。最後に、ステップ２０５において、計時が終了すると、ｅノードＢはチャネル条件等に基づいて新たなリソースをＵＥに割り当てる。現実には、タイマーがその計時を終了する前にＵＥが例えばＶｏＩＰ音声パケット等のデータパケットを送信することを要求しているような場合もある。このように、ＵＥがリソース割当て要求をｅノードＢに送信する場合、上記ステップ２０３でＳＩＤパケットの検出後であってｅノードＢのタイマーがその計時を終了する前に上記要求を受信したときに、ｅノードＢは新たなリソースをＵＥに割り当てる。
【００２２】
図３は本発明の実施例によるリソースのスケジューリング方法をさらに説明するものである。データパケット及びＳＩＤパケットが交互に現れる状況を示す。図３から、ＵＥが通信する間にＳＩＤパケットが現れてサイレント期間の始まりを意味すると、ＳＩＤパケットに続く１６０ｍｓのインターバルにおけるリソースが節約でき、この節約されたリソースは他のＵＥに割り当てることができることが分かる。１６０ｍｓの計時が終了すると、ｅノードＢはパーシステントスケジューリング方法によってリソースを上記ＵＥに割り当てる。
【００２３】
なお、リソース利用率は、ＵＥのサイレント期間の残存のリソースを他のＵＥに割り当てることによる本実施例のリソーススケジューリング方法を採用すると向上できる。新たなＬ１／Ｌ２シグナリングは通常アップリンクスケジューリング許可シグナリングを用いることによって不要となり、トークスプラウト期間におけるパーシステントスケジューリングを用いることによって許可シグナリングのコストは変わらないままである。アクティビティファクタ０.５の場合に各ＵＥは平均３.１２５個／秒の許可シグナリンクを受信するように、ＳＩＤパケットあたり１つの許可がある。
【００２４】
シグナリングコストを節約するために、本実施例の方法は許可同期状態を用いて明示的にＵＥとｅノードＢを同期して異なるＵＥ間でのリソース割当て競合を回避する。この同期スキームは、ｅノードＢが最後のパーシステント許可で割り当てられたリソースを他のＵＥに割り当てる前に、ｅノードＢが最後のパーシステント許可を停止するためのシグナリングを送ることを不要とする。図４はどのようにしてＵＥがｅノードＢと状態同期するかを示す。
【００２５】
図４から、各ＵＥが２つの状態を持つことが分かる。一方はＵＥがトークスプラウト期間にあるトークスプラウト状態であり、他方はＵＥがサイレント期間にあるＳＩＤ状態である。状態遷移とは、トリガイベントを受信する前の状態からアクションを実行した後の状態への遷移をいう。状態遷移のフォーマット記述子は、例えば「Trigger event/Action 1, action 2, and so on after triggering」、ＳＩＤパケットを受信した後の最後のパーシステントスケジューリング許可を停止することを意味する「SID packet/stop persistent scheduling」等である。「SID packet/stop persistent scheduling, start timer for next PS grant」はｅノードＢがＳＩＤパケットを受信した後に最後のパーシステントスケジューリング許可を停止し、１６０ｍｓの終りまでに新たなパーシステントスケジューリング許可を生成するようにｅノードＢのスケジューラをトリガするタイマーを開始する。「Data packet/data indication」とは、ｅノードＢにリソース要求を送りその状態を遷移させるようＵＥのスケジューラをトリガするためにデータパケットを受信した後にデータ表示を生成することを意味する。図から、ＳＩＤ状態におけるＵＥがデータパケットを検出すると、ＵＥはリソース割当て要求をｅノードＢに送信し、ｅノードＢは上記要求を受信すると直ちに新たなリソースをＵＥに割り当てることが分かる。
【００２６】
これにより、ＵＥをｅノードＢと同期させて異なるＵＥ間のリソース割当て競合を回避することによって、シグナリングオーバーヘッドは大幅に軽減される。
【００２７】
なお、本発明によるリソーススケジューリング方法を用いると、ＵＥ及びｅノードＢ双方で自動的にＳＩＤパケットの存在を検出し、トークスプラウト期間中のパーシステントスケジューリングを採用し、ＵＥ及びｅノードＢの状態を同期させ、サイレント期間中のＵＥの残存リソースを他のＵＥに再割当てすることによって、シグナリングコストを増加させることなくリソース利用率が改善される。
【００２８】
本発明の他の側面によると、同じ発想に基づいて、ネットワーク要素がＵＥとシグナリングを交換する方法が提供される。図５を参照してネットワーク要素を以下に説明する。
【００２９】
図５は、本発明の実施例によるネットワーク要素５００、例えば、ｅノードＢのブロック図である。ネットワーク要素５００は検出手段５０１、タイマー５０２及び状態遷移制御手段５０３を含む。検出手段５０１は、ＵＥが通信しているときにＳＩＤパケット又はデータパケットの存在を検出するために使用される。タイマー５０２はＳＩＤパケットが検出手段５０１によって検出されたときに計時を開始するために使用される。本実施例では、タイマー５０２の計時期間は１６０ｍｓとして設定される。図４を再度参照すると、状態遷移制御手段５０３はネットワーク要素をトークスプラウト状態からＳＩＤ状態へ、及びその逆に遷移させるために使用される。状態遷移は図４に示すトリガイベントによってトリガされる。ＵＥに対するリソーススケジューリング許可は、ＳＩＤパケットが検出手段５０１によって検出され、かつ、タイマー５０２が計時を開始すると、停止される。ネットワーク要素５００は、タイマー５０２がその計時を終了したとき、又はＵＥが計時の終了前にリソースをそれに割り当てるようネットワーク要素５００に要求したとき、新たなリソースをＵＥに割り当てる。
【００３０】
実用では、この実施例のネットワーク要素５００並びにそれが含む検出手段５０１、タイマー５０２及び状態遷移制御手段５０３はソフトウェア、ハードウェア又はそれらの組合せで実施できる。例えば、当業者は、マイクロプロセッサ、マイクロコントローラ、ＡＳＩＣ、ＰＬＤ及び／又はＦＰＧＡ等、これらの部材を実装するのに使用される種々のデバイスに精通している。本実施例の検出手段５０１、タイマー５０２及び状態遷移制御手段５０３はネットワーク要素５００に集積されるものとして、或いは個別に実施することができ、それらはまた、物理的に独立して実装しつつも動作的には相互接続できる。
【００３１】
動作において、図５との関連で説明した実施例における、ＵＥとシグナリングを交換するための上記ネットワーク要素は、ＵＥ及びｅノードＢ双方でＳＩＤパケットの存在を自動的に検出することによって、トークスプラウト期間中のパーシステントスケジューリング及びＵＥとｅノードＢの状態の同期を採用することによって、並びにサイレント期間中のＵＥの残存リソースを他のＵＥに割り当てることによって、シグナリングコストを増加させることなくリソース利用率を向上することができる。
【００３２】
本発明の更なる他の側面によると、同じ発想に基づいて、ユーザ機器が提供される。図６を参照して以下にユーザ機器を説明する。
【００３３】
図６は本発明の実施例によるＵＥ６００のブロック図である。ＵＥ６００は検出手段６０１及び状態遷移手段６０２を含む。検出手段６０１はＵＥが通信しているときにＳＩＤパケット又はデータパケットの存在を検出するために使用される。状態遷移制御手段６０３はＵＥをトークスプラウト状態からＳＩＤ状態へ、及びその逆に遷移させるために使用される。状態遷移は図４に示すトリガイベントによってトリガされる。検出手段６０１がＳＩＤパケットを検出すると、ＵＥはネットワーク要素によって割り当てられたリソースの使用を停止する。ＵＥがサイレント状態である間に検出手段６０１がデータパケットを検出すると、ＵＥはリソースをネットワーク要素に割り当てるための要求を送信する。
【００３４】
実用では、この実施例のＵＥ６００並びにそれが含む検出手段６０１及び状態遷移制御手段６０３はソフトウェア、ハードウェア又はそれらの組合せで実施できる。例えば、当業者は、マイクロプロセッサ、マイクロコントローラ、ＡＳＩＣ、ＰＬＤ及び／又はＦＰＧＡ等、これらの部材を実装するのに使用される種々のデバイスに精通している。
【００３５】
動作において、図６との関連で説明した実施例における上記ＵＥは、ＵＥ及びｅノードＢ双方でＳＩＤパケットの存在を自動的に検出することによって、トークスプラウト期間中のパーシステントスケジューリングを採用することによって、及びサイレント期間中のＵＥの残存リソースを他のＵＥに割り当てることによって、シグナリングコストを増加させることなくリソース利用率を向上することができる。
【００３６】
本発明のリソースをスケジューリングするための方法、ＵＥとシグナリングを交換するためのネットワーク要素及びＵＥの実施例の詳細を上述したが、上記実施例は網羅的なものではなく、当業者であれば本発明の精神及び範囲内で多数の変更及び変形を行うことができる。従って、本発明はこれらの実施例に限定されず、その範囲は以降の特許請求の範囲のみによって規定される。
【図１】
2010537593.tif 000003
【図２】
2010537593.tif 000004
【図３】
2010537593.tif 000005
【図４】
2010537593.tif 000006
【図５】
2010537593.tif 000007
【図６】
2010537593.tif 000008
【国際調査報告】
2010537593.tif 000009
2010537593.tif 000010